(57)【要約】【課題】伝送装置及び冗長構成部の系切替え方法に関し、運用系／予備系の切替え時に、当該伝送装置のＯＳＳポート宛の監視制御情報を廃棄することなく処理可能にする。【解決手段】監視制御用ネットワークに接続される監視制御用ＬＡＮポート５４と、冗長構成の監視制御部５３＃１，＃２とを、論理的な信号インタフェースを有する選択部１３を介して接続する。予備系の状態の監視制御部５３＃２のメモリ１１＃２に、監視制御部監視制御用ＬＡＮポート５４から受信される監視制御情報を格納しておく。監視制御部５３＃２が運用系に切替わるとき、メモリ１１＃２に格納された監視制御情報を読み出し、メモリ１１＃２から読み出した監視制御情報のうち、両系同期処理された監視制御情報データベース７６＃１，＃２を基に、運用系から予備系に切替わった監視制御部５３＃１で処理された監視制御情報を確認し、処理されていない監視制御情報を処理する。【選択図】図１
2010136038.tif 000002
【特許請求の範囲】
【請求項１】
監視制御用ネットワークに接続される監視制御用ＬＡＮポートを有し、かつ、運用系及び予備系の監視制御部並びに該運用系及び予備系の監視制御部で同期処理された監視制御情報データベースを有する伝送装置において、
前記監視制御部は、予備系の状態のとき前記監視制御用ＬＡＮポートから受信される監視制御情報を格納するメモリと、
前記監視制御部が予備系の状態から運用系の状態に切替わるとき、前記メモリに格納された監視制御情報を読み出す手段と、
前記メモリから読み出した監視制御情報のうち、前記監視制御情報データベースを基に、前記運用系から予備系に切替わった監視制御部で処理された監視制御情報を確認し、処理されていない監視制御情報を処理する手段と、
を備えたことを特徴とする伝送装置。
【請求項２】
前記監視制御用ＬＡＮポートと前記監視制御部との間に、前記監視制御情報の信号経路を切替える選択部を備え、
前記選択部は、伝送媒体上の物理信号に依存しない論理的な信号インタフェースを有し、前記監視制御部から入力される運用系又は予備系の状態を示す信号に基づいて、前記監視制御用ＬＡＮポートからの監視制御情報を運用系の監視制御部に伝達し、かつ、少なくとも運用系と予備系との系切替え時に、予備系の監視制御部が運用系として動作開始するまでの期間、予備系の監視制御部に前記監視制御用ＬＡＮポートからの監視制御情報を伝達するよう信号経路を選択することを特徴とする請求項１に記載の伝送装置。
【請求項３】
前記監視制御部内において、前記選択部と中央処理部との間にアクセス制御手段を備え、該アクセス制御手段は、運用系又は予備系の状態を示す信号に基づいて、運用系状態のとき前記選択部から入力される監視制御情報を前記中央処理部に伝達し、かつ、予備系の状態のとき、前記選択部から入力される監視制御情報を前記メモリに伝達することを特徴とする請求項２に記載の伝送装置。
【請求項４】
監視制御用ネットワークに接続される監視制御用ＬＡＮポートを有し、かつ、運用系及び予備系の監視制御部並びに該運用系及び予備系の監視制御部で同期処理された監視制御情報データベースを各々有する伝送装置における冗長構成部の系切替え方法であって、
前記監視制御部に備えたメモリに、該監視制御部が予備系の状態のとき、監視制御部監視制御用ＬＡＮポートから受信される監視制御情報を格納するステップと、
前記監視制御部が予備系の状態から運用系の状態に切替わるとき、前記メモリに格納された監視制御情報を読み出すステップと、
前記メモリから読み出した監視制御情報のうち、前記監視制御情報データベースを基に、前記運用系から予備系に切替わった監視制御部で処理された監視制御情報を確認し、処理されていない監視制御情報を処理するステップと、
を含むことを特徴とする冗長構成部の系切替え方法。
【発明の詳細な説明】
【技術分野】
【０００１】
本発明は、伝送装置及び冗長構成部の系切替え方法に関し、例えば、監視制御用ネットワークを介して運用サポートシステム（ＯＳＳ：Operations Support Systems）やネットワーク管理システム（ＮＭＳ：Network Management System）等に接続される伝送装置における冗長構成部の系切替え構成に係る。
【背景技術】
【０００２】
伝送装置の主要部分の一構成例を図５に示す。伝送装置はシェルフと呼ばれる筐体５０を有し、該シェルフ５０に実装する形式で、主信号回線とのインタフェース機能を有する主信号インタフェース部５１、主信号回線間の接続の切替えを行うスイッチファブリック部５２、伝送装置を監視制御するための監視制御部５３等の各機能部が備えられる。
【０００３】
上述の各機能部５１〜５３は、シェルフ５０の背面に設けられた背面配線盤（ＢＷＢ：Back Wired Board）を介して相互に接続され、運用中に故障した場合でも交換し得るよう活線挿抜が可能になっている。また、シェルフ５０には、監視制御用ネットワークに接続される監視制御用ＬＡＮポート（以下、ＯＳＳポートともいう。）５４が設けられ、１台の伝送装置に対して少なくとも１つのＯＳＳポート５４が備えられている。
【０００４】
図５の（ａ）はシェルフ５０のフロント面、（ｂ）はリア面の一例を示し、ＯＳＳポート５４は、例えば図５（ｂ）に示すようにリア面等に設けられている。このＯＳＳポート５４は、伝送装置における信号送受のパフォーマンス情報や各種統計情報の収集や回線設定等を、監視制御用ネットワークを介して運用サポートシステム（ＯＳＳ）やネットワーク管理システム（ＮＭＳ）から行うために主に使用される。
【０００５】
図６に監視制御用ネットワークの接続構成例を示す。同図に示すように、各伝送装置６１のＯＳＳポートを、監視制御用ネットワーク６２を介して運用サポートシステム（ＯＳＳ）又はネットワーク管理システム（ＮＭＳ）６３と接続する。なお、ＯＳＳポートを介する監視制御情報の送受信処理は、各伝送装置６１内の監視制御部で行われる。
【０００６】
各伝送装置内の主信号インタフェース部５１は、主信号のエラー発生や主信号インタフェース部の故障に対する救済措置のために冗長構成が採られることが多い。また、監視制御部５３も伝送装置の信頼性向上のため冗長構成が採られる。冗長構成化した監視制御部５３＃１，＃２とＯＳＳポート５４との従来の接続形態の例を図７に示す。
【０００７】
図７に示す二重化構成の監視制御部５３＃１，＃２において、第１の監視制御部５３＃１が運用系（ＡＣＴ）、第２の監視制御部５３＃２が予備系（ＳＴＢＹ）として機能しているものとする。第１及び第２の監視制御部５３＃１，＃２の信号線は、背面配線盤（ＢＷＢ）７７を介してシェルフ背面の共通部（ＣＯＭ）７８に設けられたＯＳＳポート５４と、ワイアードオア回路で結線されている。
【０００８】
ＯＳＳポート５４を介して行われる監視制御情報のデータ送受信が、運用系（ＡＣＴ）の監視制御部５３＃１で処理されるよう、各監視制御部５３＃１，＃２では、それぞれリレー回路７２＃１，＃２を用い、運用系（ＡＣＴ）の監視制御部５３＃１側にのみ、上記ワイアードオア回路の信号線が物理的に接続されるようにしている。
【０００９】
そして、各監視制御部５３＃１，＃２では、監視制御用ネットワークに接続される対向装置との絶縁性を確保するためトランス７３＃１，＃２が設けられ、該トランス７３＃１，＃２を介して物理（ＰＨＹ）レイヤ部７４＃１，＃２に信号線が接続される。物理（ＰＨＹ）レイヤ部７４＃１，＃２は、伝送媒体上の物理信号に依存しない信号インタフェース（ＭＩＩ：Media Independent Interface）により、中央処理部（ＣＰＵ）７５＃１，＃２のＭＡＣ（Media Access Control）制御部と監視制御情報を送受する。
【００１０】
次に、運用系（ＡＣＴ）が第１の監視制御部５３＃１から第２の監視制御部５３＃２に切替わる動作について説明する。現在運用系（ＡＣＴ）の監視制御部５３＃１が伝送異常状態や自身の故障等を検出し、運用系（ＡＣＴ）状態を継続することができないと判断したとき、監視制御部５３＃１のＡＣＴ／ＳＴＢＹ制御部７１＃１は、自律的に監視制御部５３＃１を予備系（ＳＴＢＹ）状態に遷移させる。
【００１１】
監視制御部５３＃１のＡＣＴ／ＳＴＢＹ制御部７１＃１から予備系の状態を示す信号がリレー７２＃１に入力されると、リレー回路７２＃１は切断状態となり、ＯＳＳポート５４との信号線は、監視制御部５３＃１，＃２の何れとも接続されない切断状態となる。そしてＯＳＳポート５４の対向装置側では、物理的な信号線の切断により、リンクダウンを検出する。従ってこの間、当該伝送装置のＯＳＳポート５４宛の監視制御情報は廃棄される。
【００１２】
第２の監視制御部５３＃２のＡＣＴ／ＳＴＢＹ制御部７１＃２は、第１の監視制御部５３＃１のＡＣＴ／ＳＴＢＹ制御部７１＃１からの運用系（ＡＣＴ）／予備系（ＳＴＢＹ）状態通知により、第１の監視制御部５３＃１が予備系（ＳＴＢＹ）状態に移行したことを認識し、運用系（ＡＣＴ）に切替えるためのソフトウェアを起動する。
【００１３】
なお、第１及び第２の監視制御部５３＃１，＃２には、監視制御情報を格納する監視制御情報データベース（ＤＢＳ）７６＃１，＃２がそれぞれ備えられ、該監視制御情報データベース（ＤＢＳ）７６＃１，＃２に対しては同期処理が行われる。従って、第１の監視制御部５３＃１が運用系（ＡＣＴ）として動作していたときに、監視制御情報データベース（ＤＢＳ）７６＃１に格納された監視制御情報と同一の監視制御情報が、第２の監視制御部５３＃２の監視制御情報データベース（ＤＢＳ）７６＃２に格納されている。
【００１４】
第２の監視制御部５３＃２は、運用系（ＡＣＴ）に切替えるソフトウェアの起動後、監視制御情報データベース（ＤＢＳ）７６＃２から、第１の監視制御部５３＃１で処理された監視制御情報を引き継ぎ、運用系（ＡＣＴ）に遷移する。ここで、第２の監視制御部５３＃２のリレー回路７２＃２が接続状態となり、ＯＳＳポート５４と監視制御部５３＃２とが物理的に接続され、ＯＳＳポート５４の対向装置側でリンクアップが検出され、プロトコルに応じたコネクションが確立される。
【００１５】
二重化構成のデータベース処理システムにおける同期方式等については、例えば下記の特許文献１等によって知られている。
【特許文献１】特開２００４−３０３０２５号公報
【発明の開示】
【発明が解決しようとする課題】
【００１６】
図７に示した監視制御部５３＃１，＃２とＯＳＳポート５４との従来の接続形態では、運用系（ＡＣＴ）と予備系（ＳＴＢＹ）との切替え時に、第１及び第２の監視制御部５３＃１，＃２の何れもが、一時的に予備系（ＳＴＢＹ）の状態となる期間が生じる。そのとき、リレー回路７２＃１，＃２により、ＯＳＳポート５４との間の信号線が物理的に切断され、ＯＳＳポート５４との信号路がリンクダウン状態となってしまう。その結果、運用系（ＡＣＴ）と予備系（ＳＴＢＹ）との系切替え処理が完了するまでの間、当該伝送装置のＯＳＳポート５４宛の監視制御情報が廃棄されてしまうという問題があった。
【００１７】
本発明は、冗長構成の監視制御部の運用系（ＡＣＴ）／予備系（ＳＴＢＹ）の状態を切替え時に、当該伝送装置のＯＳＳポート宛の監視制御情報を廃棄することなく処理可能にすることを目的とする。また、監視制御用ＬＡＮポート（ＯＳＳポート）との信号線の物理的な切断を伴うことなく、即ち対向装置との間でリンクダウンとなることなく、系切替えを可能にすることを目的とする。
【課題を解決するための手段】
【００１８】
上記課題を解決する第１の形態としての伝送装置は、監視制御用ネットワークに接続される監視制御用ＬＡＮポートを有し、かつ、運用系及び予備系の監視制御部並びに該運用系及び予備系の監視制御部で同期処理された監視制御情報データベースを有する伝送装置において、前記監視制御部は、予備系の状態のとき前記監視制御用ＬＡＮポートから受信される監視制御情報を格納するメモリと、前記監視制御部が予備系の状態から運用系の状態に切替わるとき、前記メモリに格納された監視制御情報を読み出す手段と、前記メモリから読み出した監視制御情報のうち、前記監視制御情報データベースを基に、前記運用系から予備系に切替わった監視制御部で処理された監視制御情報を確認し、処理されていない監視制御情報を処理する手段と、を備えたものである。
【００１９】
また、第２の形態としての冗長構成部の系切替え方法は、監視制御用ネットワークに接続される監視制御用ＬＡＮポートを有し、かつ、運用系及び予備系の監視制御部並びに該運用系及び予備系の監視制御部で同期処理された監視制御情報データベースを各々有する伝送装置における冗長構成部の系切替え方法であって、前記監視制御部に備えたメモリに、該監視制御部が予備系の状態のとき、監視制御部監視制御用ＬＡＮポートから受信される監視制御情報を格納するステップと、前記監視制御部が予備系の状態から運用系の状態に切替わるとき、前記メモリに格納された監視制御情報を読み出すステップと、前記メモリから読み出した監視制御情報のうち、前記監視制御情報データベースを基に、前記運用系から予備系に切替わった監視制御部で処理された監視制御情報を確認し、処理されていない監視制御情報を処理するステップと、を含むものである。
【発明の効果】
【００２０】
冗長構成の監視制御部の運用系（ＡＣＴ）／予備系（ＳＴＢＹ）の状態を切替え時に、当該伝送装置のＯＳＳポート宛の監視制御情報を廃棄することなく処理可能となる。また、監視制御用ＬＡＮポート（ＯＳＳポート）との信号線の物理的な切断を伴うことなく、冗長構成の監視制御部の運用系（ＡＣＴ）／予備系（ＳＴＢＹ）の状態を切替えることが可能になり、対向装置との間でリンクダウンとなることがない。
【００２１】
従って、系切替え時に当該伝送装置宛の監視制御情報が廃棄されることなく到来し、監視制御部の運用系（ＡＣＴ）／予備系（ＳＴＢＹ）切り替え動作の影響を受けることなく、運用サポートシステム（ＯＳＳ）やネットワーク管理システム（ＮＭＳ）からの監視制御情報を処理することが可能となる。
【発明を実施するための最良の形態】
【００２２】
図１は開示の伝送装置における監視制御部とＯＳＳポートとの接続形態の例を示す。同図に示すように二重化した監視制御部５３＃１，＃２が備えられ、該監視制御部５３＃１，＃２は、背面配線盤（ＢＷＢ）７７を介して、監視制御用ＬＡＮポート（ＯＳＳポート）５４が設けられた共通部（ＣＯＭ）７８に接続される。
【００２３】
共通部（ＣＯＭ）７８には、監視制御用ＬＡＮポート（ＯＳＳポート）５４、トランス７３、物理（ＰＨＹ）レイヤ部７４及び選択部１３が備えられる。監視制御用ＬＡＮポート（ＯＳＳポート）５４には、監視制御用ネットワークを介して運用サポートシステム（ＯＳＳ）やネットワーク管理システム（ＮＭＳ）等の対向装置が接続される。
【００２４】
トランス７３は、監視制御用ＬＡＮポート（ＯＳＳポート）５４に接続された対向装置との絶縁性を確保するために備えられ、監視制御用ＬＡＮポート（ＯＳＳポート）５４の信号線は、トランス７３を介して物理（ＰＨＹ）レイヤ部７４に接続される。物理（ＰＨＹ）レイヤ部７４は、伝送媒体上の物理信号に依存しない信号インタフェース（ＭＩＩ：Media Independent Interface）により、選択部１３と監視制御情報を送受する。
【００２５】
選択部１３は、監視制御部５３＃１，＃２のＡＣＴ／ＳＴＢＹ制御部７１＃１，＃２から、運用系（ＡＣＴ）／予備系（ＳＴＢＹ）の状態を示す信号が入力され、運用系（ＡＣＴ）側からの監視制御情報を、監視制御用ＬＡＮポート（ＯＳＳポート）５４側へ送出する。
【００２６】
また、監視制御用ＬＡＮポート（ＯＳＳポート）５４側からの監視制御情報を、運用系（ＡＣＴ）側に伝達するよう信号経路を選択する。或いは、監視制御用ＬＡＮポート（ＯＳＳポート）５４側からの監視制御情報を、運用系（ＡＣＴ）及び予備系（ＳＴＢＹ）の両者に伝達する構成とすることもできる。
【００２７】
このように、従来、ワイアードオア回路とリレー回路とによる物理的な信号線の結線で接続していたＯＳＳポート５４と監視制御部５３＃１，＃２との間のインタフェースを、伝送媒体上の物理信号に依存しない論理的な信号インタフェース（ＭＩＩ）よる選択部１３で接続する。選択部１３は、クロック単位で動作する論理回路で構成され、信号経路の切換時に物理的に回線断の状態となることがない。
【００２８】
さらに、監視制御部５３＃１，＃２内の中央処理部（ＣＰＵ）７５＃１，＃２のＭＡＣ制御部に加えて、ハードウェアで構成され自律的に動作するＭＡＣ制御部１２＃１，＃２を設ける。さらに、監視制御用ＬＡＮポート（ＯＳＳポート）５４側からの監視制御情報を格納するメモリ１１＃１，＃２を設ける。
【００２９】
ＭＡＣ制御部１２＃１，＃２は、共通部（ＣＯＭ）７８の選択部１３とメモリ１１＃１，＃２と中央処理部（ＣＰＵ）７５＃１，＃２のＭＡＣ制御部との間のアクセス制御機能を有し、ＡＣＴ／ＳＴＢＹ制御部７１＃１，＃２から、運用系（ＡＣＴ）／予備系（ＳＴＢＹ）の状態情報が通知され、該状態情報に応じてアクセス制御を行う。
【００３０】
ＭＡＣ制御部１２＃１，＃２は、運用系（ＡＣＴ）／予備系（ＳＴＢＹ）の状態情報により、運用系（ＡＣＴ）では、選択部１３と中央処理部（ＣＰＵ）７５＃１，＃２のＭＡＣ制御部との間で、監視制御情報の送受が可能なようにアクセス制御する。一方、予備系（ＳＴＢＹ）では、選択部１３からの監視制御情報がメモリ１１＃１，＃２に送出されるようアクセス制御する。
【００３１】
例えば、現在運用系（ＡＣＴ）の監視制御部５３＃１が伝送異常状態や自身の故障等を検出し、運用系（ＡＣＴ）状態を継続することができないと判断したとき、ＡＣＴ／ＳＴＢＹ制御部７１＃１は、予備系（ＳＴＢＹ）へ遷移する状態信号を、予備系(ＳＴＢＹ)の監視制御部５３＃２のＡＣＴ／ＳＴＢＹ制御部７１＃２に通知し、自律的に監視制御部５３＃１を予備系（ＳＴＢＹ）状態に遷移させる。
【００３２】
予備系（ＳＴＢＹ）の監視制御部５３＃２のＡＣＴ／ＳＴＢＹ制御部７１＃２は、監視制御部５３＃１のＡＣＴ／ＳＴＢＹ制御部７１＃１からの状態信号の通知により、監視制御部５３＃１が予備系（ＳＴＢＹ）状態に遷移したことを認識し、ＭＡＣ制御部１２＃２に、選択部１３からの監視制御情報を、メモリ１１＃２に出力させ、運用系（ＡＣＴ）に切替えるためのソフトウェアを起動する。
【００３３】
即ち、予備系（ＳＴＢＹ）では、運用系（ＡＣＴ）状態になるまでの間、共通部（ＣＯＭ）７８の選択部１３からの監視制御情報をメモリ１１に格納しておき、運用系（ＡＣＴ）に切替えるためのソフトウェア起動後、メモリ１１に格納されていた監視制御情報を読み出して処理する。
【００３４】
従来の構成では、運用系（ＡＣＴ）と予備系（ＳＴＢＹ）とを切替える際に、冗長構成の監視制御部５３＃１，＃２の両者とも、一時的に予備系（ＳＴＢＹ）状態となり、予備系（ＳＴＢＹ）を運用系（ＡＣＴ）に切替えるソフトウェアが起動するまでの間、当該伝送装置宛の監視制御情報は全て廃棄されていた。
【００３５】
これに対しこの実施形態では、予備系（ＳＴＢＹ）状態から運用系（ＡＣＴ）状態に遷移するまでの間、当該伝送装置宛の監視制御情報はメモリ１１に格納し、運用系（ＡＣＴ）状態に遷移した後、メモリ１１に格納されていた監視制御情報を読み出して処理することにより、当該伝送装置宛の監視制御情報が廃棄されることなく処理される。
【００３６】
なお、メモリ１１の容量は、運用系（ＡＣＴ）状態にあった監視制御部５３が予備系（ＳＴＢＹ）状態に遷移した時点から、予備系（ＳＴＢＹ）状態にあった監視制御部５３がソフトウェア起動により運用系（ＡＣＴ）状態となり、中央処理部（ＣＰＵ）７５のＭＡＣ制御部との信号送受が可能になるまでの間に、当該伝送装置宛に到来する監視制御情報を格納し得る分となる。
【実施例１】
【００３７】
上述の冗長系切替え構成の実施例及び動作例を図２〜図４に示す。各監視制御部５３＃１，＃２に備えられるＡＣＴ／ＳＴＢＹ制御部７１＃１，＃２は、例えばＣＰＬＤ（Complex Programmable Logic Device）等を用いてレジスタを構成し、例えばＤＣ線（ハイレベル／ローレベル信号を伝送する信号線）を用い、背面配線盤（ＢＷＢ）７７を介し、共通部（ＣＯＭ）７８の選択部１３等と接続する構成とすることができる。
【００３８】
ＭＡＣ制御部１２＃１，＃２は、例えばＦＰＧＡ（Field Programmable Gate Array）等を用いてレジスタを構成し、ＡＣＴ／ＳＴＢＹ制御部７１＃１，＃２から入力される運用系（ＡＣＴ）／予備系（ＳＴＢＹ）状態通知信号に応じて、アクセス経路を選択する機能を備える。
【００３９】
監視制御情報データベース（ＤＢＳ）７６＃１，＃２は、例えばコンパクトフラッシュ(登録商標)カード等を用いた構成とすることができる。共通部（ＣＯＭ）７８の選択部１３は、例えばＣＰＬＤを用い、ＡＣＴ／ＳＴＢＹ制御部７１＃１，＃２から入力される運用系（ＡＣＴ）／予備系（ＳＴＢＹ）状態通知信号に応じて、監視制御情報の配信経路を選択する構成とすることができる。
【００４０】
図２は、第１の監視制御部５３＃１が運用系（ＡＣＴ）、第２の監視制御部５３＃２が予備系（ＳＴＢＹ）で使用され、運用系（ＡＣＴ）／予備系（ＳＴＢＹ）切り替えが発生していない通常動作時の状態を示している。第１の監視制御部５３＃１のＡＣＴ／ＳＴＢＹ制御部７１＃１は、運用系（ＡＣＴ）を示す状態信号を出力し、該状態信号は、ＭＡＣ制御部１２＃１及び共通部（ＣＯＭ）７８の選択部１３に伝達される。
【００４１】
ＯＳＳポート５４からトランス７３及び物理（ＰＨＹ）レイヤ部７４を介して選択部１３に到達した監視制御情報（command）は、この実施例では、第１及び第２の監視制御部５３＃１，＃２の両方に伝達される構成としている。従って、ＯＳＳポート５４からの監視制御情報（command）は、第１及び第２の監視制御部５３＃１，＃２それぞれのＭＡＣ制御部１２＃１，＃２に到達する。
【００４２】
第１の監視制御部５３＃１のＭＡＣ制御部１２＃１は、自身が運用系（ＡＣＴ）であることから、受信した監視制御情報（command）を中央処理部（ＣＰＵ）７５＃１内のＭＡＣ制御部に伝達する。該監視制御情報（command）は、中央処理部（ＣＰＵ）７５＃１内のＭＡＣ制御部で終端され、中央処理部（ＣＰＵ）７５＃１で該監視制御情報（command）に従った処理が行われる。
【００４３】
一方、第２の監視制御部５３＃２のＭＡＣ制御部１２＃２は、自身が予備系（ＳＴＢＹ）であることから、受信した監視制御情報（command）をメモリ１１＃２に格納する。第１の監視制御部５３＃１が運用系（ＡＣＴ）であることから、第２の監視制御部５３＃２の中央処理部（ＣＰＵ）７５＃２は、メモリ１１＃２に格納された監視制御情報（command）の処理を行わない。
【００４４】
また、第１の監視制御部５３＃１から送信される監視制御情報（response）については、運用系（ＡＣＴ）の監視制御部５３＃１の中央処理部（ＣＰＵ）７５＃１で生成され、ＭＡＣ制御部１２＃１に伝達される。ＭＡＣ制御部１２＃１は、自身が運用系（ＡＣＴ）であることから、中央処理部（ＣＰＵ）７５＃１から入力された監視制御情報（response）を共通部（ＣＯＭ）７８の選択部１３に伝達する。
【００４５】
共通部（ＣＯＭ）７８の選択部１３は、第１の監視制御部５３＃１が運用系（ＡＣＴ）であることを把握していることから、第１の監視制御部５３＃１からの監視制御情報（response）をＯＳＳポート５４側へ伝達する。
【００４６】
ＯＳＳポート５４から受信した監視制御情報（command）に対する中央処理部（ＣＰＵ）７５＃１での処理結果については、監視制御情報データベース（ＤＢＳ）７６＃１に保存される。そしてこの監視制御情報データベース（ＤＢＳ）７６＃１は、第１の監視制御部５３＃１と第２の監視制御部５３＃２とで常に同期処理が行われ、第２の監視制御部５３＃２の監視制御情報データベース（ＤＢＳ）７６＃２にも、同様の処理結果が保存される。運用系（ＡＣＴ）と予備系（ＳＴＢＹ）との間で系切替えが発生していない通常動作時におけるＯＳＳポート５４との監視制御情報の送受信は、以上のとおりの動作となる。
【００４７】
次に、監視制御部５３＃１，＃２において、運用系（ＡＣＴ）／予備系（ＳＴＢＹ）の系切替え動作が発生したときの、ＯＳＳポート５４との監視制御情報の送受信動作を、図３を参照して説明する。
【００４８】
運用系（ＡＣＴ）の監視制御部５３＃１に異常が発生し、監視制御部５３＃１が予備系（ＳＴＢＹ）状態に遷移すると、ＡＣＴ／ＳＴＢＹ制御部７１＃１から、予備系（ＳＴＢＹ）状態を示す信号がＭＡＣ制御部１２＃１に入力される。すると、ＭＡＣ制御部１２＃１は、今まで中央処理部（ＣＰＵ）７５＃１に伝達していた選択部１３からの監視制御情報を、メモリ１１＃１に出力する経路に変更する。
【００４９】
第２の監視制御部５３＃２は、第１の監視制御部５３＃１が予備系（ＳＴＢＹ）状態に遷移したことを認識すると、自身が運用系（ＡＣＴ）状態に遷移しなければならないと判断し、運用系（ＡＣＴ）系に切替えるソフトウェアを起動し、各種デバイスの設定を行う。その間も、ＯＳＳポート５４から到来する監視制御情報は、メモリ１１＃２に引き続き格納される。
【００５０】
第２の監視制御部５３＃２は、運用系（ＡＣＴ）に切替えるソフトウェア起動の完了後、まず、メモリ１１＃２に格納された監視制御情報を読み出す。そして、監視制御情報データベース（ＤＢＳ）７６＃２を確認し、メモリ１１＃２に格納された監視制御情報のうち、どの時点までの監視制御情報が第１の監視制御部５３＃１で処理されたかを確認する。処理されていない監視制御情報から第２の監視制御部５３＃２で処理を行い、それに対する処理結果を生成し、ＯＳＳポート５４側に伝達する。
【００５１】
メモリ１１＃２に格納された監視制御情報に関する処理をすべて完了した時点で、第２の監視制御部５３＃２のＭＡＣ制御部１２＃２は、ＯＳＳポート５４側からの監視制御情報を、メモリ１１＃２への経路から中央処理部（ＣＰＵ）７５＃２のＭＡＣ制御部への経路に切替えて伝達する。
【００５２】
その結果、図４に示す状態となり、運用系（ＡＣＴ）が第２の監視制御部５３＃２に切替わり、第２の監視制御部５３＃２により、ＯＳＳポート５４と監視制御情報（command/ response）の送受信を行う状態となる。
【００５３】
運用系（ＡＣＴ）と予備系（ＳＴＢＹ）との切替え時に、ＯＳＳポート５４との物理的な信号線が切断されることがなく、従って対向装置でリンクダウンを検出することがない。そのためこの間、当該伝送装置のＯＳＳポート５４宛の監視制御情報は廃棄されることなく配信される。
【００５４】
また、予備系（ＳＴＢＹ）の監視制御部５３が運用系（ＡＣＴ）として立ち上がる期間に到来する監視制御情報はメモリ１１に保存し、運用系（ＡＣＴ）として立ち上がった後に、該メモリ１１に保存した監視制御情報を処理することにより、運用系（ＡＣＴ）として立ち上がる期間に到来する監視制御情報を廃棄することなく処理することが可能となる。
【００５５】
なお、監視制御部の運用系（ＡＣＴ）と予備系（ＳＴＢＹ）との切替え時に、両系の監視制御部に不具合が発生した場合など、共通部（ＣＯＭ）７８の物理（ＰＨＹ）レイヤ部７４で信号線を切断状態とすることにより、監視制御用ＬＡＮポート（ＯＳＳポート）５４と接続された対向装置とのリンクを、意図的にリンクダウンさせることも可能となる。
【図面の簡単な説明】
【００５６】
【図１】伝送装置における監視制御部とＯＳＳポートとの接続形態の例を示す図である。
【図２】冗長系切替え構成の実施例及び動作例（通常動作時）を示す図である。
【図３】冗長系切替え構成の実施例及び動作例（系切替え中）を示す図である。
【図４】冗長系切替え構成の実施例及び動作例（系切替え完了時）を示す図である。
【図５】伝送装置の主要部分の一構成例を示す図である。
【図６】監視制御用ネットワークの接続構成例を示す図である。
【図７】冗長構成の監視制御部とＯＳＳポートとの従来の接続形態の例を示す図である。
【符号の説明】
【００５７】
１１＃１，＃２  メモリ
１２＃１，＃２  ＭＡＣ制御部
１３  選択部
５３＃１，＃２  監視制御部
５４  ＯＳＳポート
７１＃１，＃２  ＡＣＴ／ＳＴＢＹ制御部
７３  トランス
７４  物理（ＰＨＹ）レイヤ部
７６＃１，＃２  監視制御情報データベース（ＤＢＳ）
７７  背面配線盤（ＢＷＢ）
【図１】
2010136038.tif 000003
【図２】
2010136038.tif 000004
【図３】
2010136038.tif 000005
【図４】
2010136038.tif 000006
【図５】
2010136038.tif 000007
【図６】
2010136038.tif 000008
【図７】
2010136038.tif 000009